(57)【特許請求の範囲】
【請求項１】
引出枠、案内ガイドにより移動し、前記引出枠に装着可能な遮断器本体、この遮断器本体から突設される遮断器側導体、前記引出枠に各相単位で脱着可能に配設された端子ユニットを備え、前記端子ユニットは、絶縁ベースと、前記絶縁ベースに挿入され、取り外し可能に固定されている引出枠側導体と、前記引出枠側導体の一端と係合するとともに、前記遮断器側導体と挿脱可能に接続されるコネクターと、前記引出枠側導体の他端に端子を有する引出形遮断器。
【請求項２】
前記引出枠側導体の一端は、先端がＹ形形状であることを特徴とする請求項１に記載の引出形遮断器。
【請求項３】
電源側端子と負荷側端子の２つの前記引出枠側導体が前記絶縁ベースに挿入されて固定されており、前記電源側端子と前記負荷側端子の間の前記絶縁ベースに風路が形成されていることを特徴とする請求項１又は２に記載の引出形遮断器。
【請求項４】
前記引出枠側導体は、端子が形成された端子導体と先端部がＹ形形状の中継端子導体とからなり、前記中継端子導体の底部が前記絶縁ベースにネジ止めされ、前記端子導体は前記中継端子導体にネジ止めされていることを特徴とする請求項１に記載の引出形遮断器。
【請求項５】
前記中継端子導体にネジ止めされる前記端子導体の底部は正方形形状であり、前記端子は、前記正方形形状の対向する辺の中点を結ぶ線を含んで、前記底部に垂直に形成されていることを特徴とする請求項４に記載の引出形遮断器。
【発明の詳細な説明】
【技術分野】
【０００１】
この発明は、遮断器と端子装置からなる引出形遮断器に関する。
【背景技術】
【０００２】
従来の引出形遮断器の端子装置は、各相の端子とコネクターとを絶縁ベースで左右から挟み込み、側板（左右）とアングル（上下）を組合せた状態で固着している（例えば、特許文献１参照）。この側板とアングルは、遮断器を引出し、又は挿入する引出枠を構成している。
また、各相端子間の絶縁を確保するよう搭載された絶縁ベースが、箱状で構成されている場合もある。（例えば、特許文献２参照）
【先行技術文献】
【特許文献】
【０００３】
【特許文献１】特開２００９−５５７３２号公報
【特許文献２】特開平１１−２５０７７６号公報
【発明の概要】
【発明が解決しようとする課題】
【０００４】
従来の引出形遮断器の端子装置は以上のように構成されており、組立の際、左右の絶縁ベースを組合せ、さらに側板とアングルを組合せるまで保持しなければならないという問題があった。また、コネクター、端子、及び絶縁ベースのメンテナンス、交換を実施する場合、引出枠を分解する必要があった。さらに、製品仕様が異なる場合、専用の絶縁ベースを必要とするという問題があった。【０００５】
本発明は、前記のような課題を解決するためになされたもので、引出形遮断器の端子装置において、端子装置の組み立てを容易にするとともに、各相個別に追加・取り外しができる引出形遮断器の端子装置を得るものである。
【課題を解決するための手段】
【０００６】
本発明に係る引出形遮断器は、引出枠と、案内ガイドにより移動し、引出枠に装着可能な遮断器本体と、この遮断器本体から突設される遮断器側導体と、引出枠に各相単位で脱着可能に配設された端子ユニットを備え、この端子ユニットは、絶縁ベースと、絶縁ベースに挿入され、取り外し可能に固定されている引出枠側導体と、この引出枠側導体の一端と係合するとともに、遮断器側導体と挿脱可能に接続されるコネクターと、引出枠側導体の他端に端子を有する。
【発明の効果】
【０００７】
本発明の引出形遮断器によれば、端子ユニットの組立、メンテナンス、相数変更を容易に行うことができる。
【図面の簡単な説明】
【０００８】
【図１】本発明の実施の形態１による引出形遮断器の引出した状態の斜視図である。
【図２】本発明の実施の形態１による引出形遮断器の挿入した状態の斜視図である。
【図３】図１に示す引出形遮断器の端子ユニットの脱着を示す背面図である。
【図４】本発明の実施の形態１による引出形遮断器の端子ユニットの分解斜視図である。
【図５】図２の状態の端子部上部断面図である。
【図６】図１の状態の端子部上部断面図である。
【図７】図６の端子ユニットを拡大した拡大図である。
【図８】本発明の実施の形態１による端子ユニットの増設の際の説明図である。
【図９】本発明の実施の形態２による引出形遮断器の端子導体変更の例を説明する説明図である。
【図１０】本発明の実施の形態２による引出形遮断器の端子導体変更の他の例を説明する説明図である。
【発明を実施するための形態】
【０００９】
実施の形態１．
図１は本発明の実施の形態１における引出形遮断器の引出した状態を示す斜視図、図２は実施の形態１における引出形遮断器の挿入した状態を示す斜視図である。
図１、図２に示すように、引出形遮断器１００は、引出形遮断器本体１０を備え、例えば、閉鎖配電盤の筐体（図示せず）内に引出可能に収納される。引出形遮断器１００の裏面には、端子装置７が装着されている。また、引出形遮断器本体１０は、周知のように、固定接点と可動接点とを備え、引出形遮断器本体１０の表面側に設けられた操作ハンドル(図示せず)の操作により、可動接点を固定接点から乖離させることにより回路を遮断し、可動接点を固定接点に接触させることにより回路を閉じる。又、回路に過電流が流れたとき、引外し機構により可動接点を固定接点から自動的に乖離させて回路を遮断するよう構成されている。
【００１０】
端子装置７は、相ごとに構成された端子ユニット７１、７２、７３からなり、図３のように、引出枠９内に配置する際、矢印Ａ、Ｂ方向に抜差しが可能で、挿入後、引出枠９を構成する側板９ａ、９ｂの間に固定される。それぞれの端子ユニット７１、７２、７３は、端子導体５（入力側端子導体５ａ、出力側端子導体５ｂ）を有する。入力側端子導体５ａは、例えば、閉鎖配電盤の筐体内に収納されたとき、電源側の接続導体（図示せず）に接続され、出力側端子導体５ｂは、負荷側の接続導体（図示せず）に接続される。
引出形遮断器本体１０は、遮断器側導体１１を装着し、遮断器本体を抜き差しする引出ハンドルおよび引出機構（図示しない）により、引出枠９に装備された伸縮可能な案内ガイド１２によりＸ軸方向に移動する。これにより、端子導体５と接続されるコネクター４（図４参照）に遮断器側導体１１の抜き差しがなされ、引出形遮断器１００としての機能を有する。
【００１１】
図４は、端子ユニット７１の分解斜視図である。底部２１ａ、２１ｂからＸ軸方向に伸び、先端部２ａがＹ形形状の中継端子導体２が、小ネジ３により絶縁ベース１の表面に設けられたネジ穴にネジ止めされる。そして、遮断器側導体１１がＺ軸方向で嵌合するように配置したコネクター４が、中継端子導体２に接続される。コネクター４と中継端子導体２の接続は、コネクター４の溝４ａに中継端子導体２のＹ形形状の先端部２ａを挿入することにより行う。先端部２ａ及び溝４ａを構成する部材は弾性を有し、Ｙ形形状の外側の面と溝４ａとが係合し、溝４ａの内壁面とＹ形形状の外側の面が押圧し合うことで係合を強固なものとし、遮断器側導体１１を引き抜く際、中継端子導体２とコネクター４とが外れないように、ストッパーの役割を果たす。さらに、遮断器側導体１１の挿入の際はコネクター４が首振り動作を行うが、先端部２ａと溝４ａとの係合面がこの首振り動作の際の支点となる。
【００１２】
入力側端子導体５ａ、出力側端子導体５ｂは、Ｚ−Ｙ平面に拡がる底部５１ａ、５１ｂからＸ軸方向で、上述した先端部２ａとは逆方向に伸び、端子部分がＸ−Ｙ平面に平行に配置される。本実施の形態１では、底部５１ａ、５１ｂは、４辺の長さが等しい正方形形状をしており、端子部分は、正方形形状の対向する辺の中点を結ぶ線を含んで、底部５１ａ、５１ｂに垂直に形成されている。底部５１ａ、５１ｂは、絶縁ベース１に挿入され、ボルト６により中継端子導体２の底部２１ａ、２１ｂに固着されている。この実施の形態ではボルト６は４本で、中継端子導体２と、入力側又は出力側端子導体５ａ、５ｂとを固定しているが、ボルトの本数はこれに限らない。またボルト以外でも取り外しが可能な固定器具であればそれでもよい。
【００１３】
なお、絶縁ベース１には、固定されている入力側端子導体５ａと出力側端子導体５ｂとの間の中央部に導体間を見通せる、入力側端子導体５ａと出力側端子導体５ｂと直交する溝８が形成されている。これにより、遮断器側導体１１がＺ軸方向でコネクター４と嵌合することで、上下の遮断器側導体１１の間で風路が形成される。このような構成により、自然対流により端子ユニット７１を冷却できる。
端子ユニット７１と同様に端子ユニット７２、７３も構成される。また、本実施の形態１では、中継端子導体２と端子導体５とは別部材で構成され、ネジ止めされることにより引出枠側導体を形成しているが、後述するような端子導体５の仕様の変更を行わないのであれば、一体に成形されて絶縁ベース１に挿入され、固着されていてもよい。
【００１４】
図５は引出形遮断器本体１０が引出枠９へ挿入された、図２の状態の端子装置７の上部断面図、図６は引出形遮断器本体１０が引き出された、図１の状態の端子装置７の上部断面図、図７は図６の端子ユニット７１の拡大図である。
図５で、引出形遮断器本体１０が引出枠９に挿入された状態では、遮断器側導体１１がコネクター４に挿入されている。この状態から図６に示すように、引出形遮断器本体１０が引出枠９から引き出される方向（矢印Ｃ方向）に作動すると、遮断器側導体１１もコネクター４から引き出される。この際、図７に示すように、コネクター４は中継端子導体２の先端部２ａのＹ形形状に引っ掛かり、コネクター４は中継端子導体２に挿入された状態で遮断器側導体１１の係合がはずれ、引出形遮断器本体１０と引出枠９に装備された案内ガイド１２（部材１２ａ、１２ｂ）により引き出される（図１参照）。
【００１５】
なお、図８に示すように、矢印Ｄ方向に一相分、引出枠９を広げて、端子ユニット７４を挿入することができ、簡単に増設が可能である。
【００１６】
以上のようにこの実施の形態１では、端子装置７を端子ユニット７１、７２、７３で構成し、端子ユニット７１、７２、７３の絶縁ベース１の表面に形成されたネジ穴で、端子導体５と中継端子導体２とで構成される引出枠側導体をネジ止めする構成としたことで、組立の際、左右の絶縁ベースを組合せ、さらに側板とアングルを組合せるまで保持する必要が無くなった。さらに、引出枠側導体の取り外しもネジにより簡単にでき、容易に交換可能とした。また、端子ユニット７１，７２、７３を引出枠９内に簡単に挿入、脱着することができ、コネクター４、中継端子導体２、端子、及び絶縁ベースのメンテナンス、交換を実施する場合、引出枠を分解する必要が無くなった。また、相数に応じ、容易に端子ユニットを増設することが可能である。また、端子部が相単位の端子ユニット７１、７２、７３で構成されているので、組立・仕様変更を簡略化することができ、メンテナンス時には相ごとのメンテナンスを可能にすることができる。
【００１７】
実施の形態２
実施の形態１では、端子導体５が、図４で示すようにＸ−Ｙ平面に平行に配置されていたが、端子導体５の底部５１ａが正方形形状であるため、本実施の形態２では、図９に示すように、ボルト６をはずし、端子導体５を９０度回転させ、再度、ボルト６で中継端子導体２に固着することで端子導体５の接続方向をＸ−Ｚ平面に平行に変更できる。ここで、図９（ａ）は引出形遮断器の側面図、図９（ｂ）は背面図を示す。また、図１０に示すように端子導体５０に取り替えると引出形遮断器１００の正面より接続可能となる。
【００１８】
以上のように本発明の実施の形態２では、この発明の実施の形態によれば、端子導体５を、絶縁ベース１の外側から視認可能な中継端子導体２にボルトで固着する構成としたことにより、用途に応じたブスバー配線を可能にする端子仕様を容易に選択できるという効果がある。
【００１９】
なお、この発明は、その発明の範囲内において、各実施の形態を自由に組み合わせたり、各実施の形態を適宜、変形、省略することが可能である。また図中、同一符号は、同一または相当する構成、機能を有する部分を示す。
【符号の説明】
【００２０】
１  絶縁ベース、２  中継端子導体、３  小ネジ、４  コネクター、５、５０  端子導体、６  ボルト、７  端子装置、７１、７２、７３  端子ユニット、８  溝、９  引出枠、１０  引出形遮断器本体、１１  遮断器側導体、１２  案内ガイド、１００  引出形遮断器。
【図１】
0006758489.tif 000002
【図２】
0006758489.tif 000003
【図３】
0006758489.tif 000004
【図４】
0006758489.tif 000005
【図５】
0006758489.tif 000006
【図６】
0006758489.tif 000007
【図７】
0006758489.tif 000008
【図８】
0006758489.tif 000009
【図９】
0006758489.tif 000010
【図１０】
0006758489.tif 000011